(57)【要約】【課題】サービス利用者による仕分けを不要にした電子プリントショップの受注方法を提供する。【解決手段】発注者１の端末２と、受注者５の端末６とをネットワーク１１に接続する。ネットワーク１１にはさらに、サービス店１２〜サービス店１４を接続する。発注者１は端末２からインターネットに接続し、周知のブラウジング用プログラムを用いてＷｅｂサイトを検索し、受注者５の端末６のＵＲＬを指定する。端末６に格納されている電子プリントショップ用コンテンツデータが読み出され、発注者１の端末２へ送られる。このような電子プリントショップシステムは、発注者１からの画像プリント注文を受注するとき、仕分け情報を注文データに含める。仕分け情報は、画像プリントのグループ化を示すもので、発注者１の指示は、画像プリントの納品の形態や支払い方法などがグループごとに分けられる。【選択図】図１
2004164184.tif 000002
【特許請求の範囲】
【請求項１】
利用者から画像のプリント情報を受信し、前記受信した情報に応じて画像のプリントを指示する電子プリントショップの受注方法において、
前記プリントの指示内容を複数のグループのそれぞれについて設定したプリント仕分け情報を前記利用者から受信し、
前記仕分け情報に応じて、前記グループごとに画像のプリントをプリント担当へ指示することを特徴とする電子プリントショップの受注方法。
【請求項２】
請求項１に記載の電子プリントショップの受注方法において、
前記仕分け情報は、画像ごとのプリント数およびプリントサイズを示す情報を含むことを特徴とする電子プリントショップの受注方法。
【請求項３】
請求項１または２に記載の電子プリントショップの受注方法において、
前記仕分け情報は、前記グループごとの受取場所、支払方法、納品方法、納期、および受取人の少なくとも１つを示す情報を含むことを特徴とする電子プリントショップの受注方法。
【請求項４】
画像のプリントを指示する電子プリント注文用プログラムにおいて、
利用者の指示に応じて、前記プリントする画像を仕分けする第１のグループおよび第２のグループに対応する複数の仕分けマークを表示装置に表示する処理と、
前記画像のそれぞれを識別可能に表示する識別画像を前記表示装置に表示する処理と、
前記利用者の指示に応じて、前記複数の仕分けマークと前記識別画像とを関連づける処理とをコンピュータ上で実行することを特徴とする電子プリント注文用プログラム。
【請求項５】
請求項４に記載の電子プリント注文用プログラムにおいて、
前記複数の仕分けマークのうち前記利用者によって選択された仕分けマークに関連づけられている画像の情報を前記表示装置に表示する処理をさらに実行することを特徴とする電子プリント注文用プログラム。
【請求項６】
請求項４または５に記載の電子プリント注文用プログラムにおいて、
前記第１のグループおよび前記第２のグループのそれぞれについて、前記画像ごとのプリント数およびプリントサイズを示す情報を関連づける処理をさらに実行することを特徴とする電子プリント注文用プログラム。
【請求項７】
請求項４〜６のいずれかに記載の電子プリント注文用プログラムにおいて、
前記第１のグループおよび前記第２のグループのそれぞれについて、受取場所、支払方法、納品方法、納期、および受取人の少なくとも１つを示す情報を関連づける処理をさらに実行することを特徴とする電子プリント注文用プログラム。
【発明の詳細な説明】
【０００１】
【発明の属する技術分野】
本発明は、ネットワークを利用した電子ショップサービスに関する。
【０００２】
【従来の技術】
インターネットを利用して画像のプリントを依頼する電子プリントショップサービスが知られている（たとえば、特許文献１、特許文献２および特許文献３を参照）。特許文献１には、ユーザ名、住所、電話番号、被プリント媒体の種類、サイズ、枚数、拡大・縮小指定、装丁、配置等を質問形式でサービス利用者に登録させ、１つの注文データ毎に、プリント処理した被プリント媒体を、総被プリント媒体数分、宛名が印刷された封筒に収納することが記載されている。
【０００３】
特許文献２には、サービス利用者側の入力装置から現像所の出力装置にデジタル画像信号を伝送する際に、複数の入力装置毎に受けた異種の混在する注文のグループが出力装置において互いに混在しないように、デジタル画像信号をそのグループ毎に蓄積すること、異なるネガのコマが混在しないようにグループ管理すること、および顧客毎の別のプリント注文によるグループを特定するため、ＩＤ情報と画像属性データをともに伝送すること、が開示されている。
【０００４】
特許文献３には、サービス利用者の注文に対してＩＤを付け、このＩＤにより各注文袋に仕分けし、注文袋に記されたサービス利用者の連絡先に届けることが開示されている。上記各特許文献によるサービスでは、仕上がり画像プリントが１まとめに納品される。たとえば、サービス利用者本人が必要とする画像プリントと、利用者が知人に譲渡する画像プリントとを合わせて１つの注文としてプリント依頼した場合に、画像プリントが混在して納品される。
【０００５】
【特許文献１】
特開平１１−２０５５０３号公報（段落００４５および段落００６２）
【特許文献２】
特開平１０−１３５８９号公報（段落００１４乃至段落００１７）
【特許文献３】
特開平１１−４３１１号公報（段落番号００３４乃至段落００４１）
【０００６】
【発明が解決しようとする課題】
サービス利用者は、納品された画像プリントをサービス利用者本人が必要なものと、サービス利用者が知人などに譲渡するものとに仕分ける必要があった。
【０００７】
本発明の目的は、サービス利用者による仕分けを不要にした電子プリントショップの受注方法および電子プリント注文用プログラムを提供することにある。
【０００８】
【課題を解決するための手段】
本発明は、利用者から画像のプリント情報を受信し、受信した情報に応じて画像のプリントを指示する電子プリントショップの受注方法に適用される。そして、プリントの指示内容を複数のグループのそれぞれについて設定したプリント仕分け情報を利用者から受信し、仕分け情報に応じて、グループごとに画像のプリントをプリント担当へ指示することにより、上述した目的を達成する。
仕分け情報は、画像ごとのプリント数およびプリントサイズを示す情報を含めるとよい。
仕分け情報はさらに、グループごとの受取場所、支払方法、納品方法、納期、および受取人の少なくとも１つを示す情報を含めてもよい。
本発明は、画像のプリントを指示する電子プリント注文用プログラムに適用される。そして、利用者の指示に応じて、プリントする画像を仕分けする第１のグループおよび第２のグループに対応する複数の仕分けマークを表示装置に表示する処理と、画像のそれぞれを識別可能に表示する識別画像を表示装置に表示する処理と、利用者の指示に応じて、複数の仕分けマークと識別画像とを関連づける処理とをコンピュータ上で実行することにより、上述した目的を達成する。
上記電子プリント注文用プログラムはさらに、複数の仕分けマークのうち利用者によって選択された仕分けマークに関連づけられている画像の情報を表示装置に表示する処理を実行してもよい。
上記電子プリント注文用プログラムはさらに、第１のグループおよび第２のグループのそれぞれについて、画像ごとのプリント数およびプリントサイズを示す情報を関連づける処理を実行してもよい。
上記電子プリント注文用プログラムはさらに、第１のグループおよび第２のグループのそれぞれについて、受取場所、支払方法、納品方法、納期、および受取人の少なくとも１つを示す情報を関連づける処理を実行してもよい。
【０００９】
【発明の実施の形態】
以下、図面を参照して本発明の実施の形態を説明する。
図１は、本発明の一実施の形態による電子プリントショップシステムの全体構成図である。図１において、発注者１の端末２と、受注者５の端末６とがインターネットなどのネットワーク１１に接続されている。ネットワーク１１にはさらに、サービス店１２、サービス店１３、およびサービス店１４が、それぞれ接続されている。各サービス店は、それぞれネットワークに接続する不図示の端末を備えている。発注者１は、端末２からインターネットに接続し、周知のブラウジング用プログラムを用いてＷｅｂサイトを検索する。発注者１が受注者５の端末６のＵＲＬ（Ｕｎｉｆｏｒｍ  Ｒｅｓｏｕｒｃｅ  Ｌｏｃａｔｏｒ）を指定すると、端末６に格納されている電子プリントショップ用コンテンツデータが読み出されて発注者１の端末２へ送られる。本実施の形態では、受注者５が電子プリントショップ用コンテンツを端末６に格納し、このコンテンツを利用する発注者１からの電子画像データのプリント注文を受注する。画像プリントは、注文内容に応じて受注者５が行ったり、受注者５に依頼されるサービス店１２、サービス店１３、およびサービス店１４で行ったりする。
【００１０】
図１において、発注者１は、端末２と、デジタルカメラ３と、スキャナ装置４とを有する。端末２は、パーソナルコンピュータ（以下、パソコンと呼ぶ）などによって構成され、キーボードやポインティングデバイスなどの操作部材と、ディスプレイ装置と、ネットワーク１１に接続するためのインターフェイスボードとを含む。パソコン２は、デジタルカメラ３で撮影された画像データや、スキャナ装置４で読込まれた画像データを、パソコン２内の不図示の記憶装置に記憶可能に構成されている。
【００１１】
受注者５は、端末６と、記憶装置７と、プリンタ８〜１０とを有する。端末６は、Ｗｅｂサイトサーバー（以下、サーバーと呼ぶ）などによって構成され、キーボードやポインティングデバイスなどの操作部材と、ディスプレイ装置と、ネットワーク１１に接続するためのインターフェイスボードとを含む。記憶装置７は、顧客管理情報の記憶や、顧客（発注者１）の画像データの記憶に使用される。顧客管理情報は、顧客のユーザＩＤ、パスワード、および注文データなどを含むものである。プリンタ８〜１０は、画像データのプリント、請求書、画像プリントの納品袋などの印刷に使用される。なお、プリンタ８〜１０は一台に統合してもよい。
【００１２】
サービス店１２〜１４は、ネットワークに接続する上記端末（サーバー）の他に、受注者５と同様の記憶装置（不図示）、ならびにプリンタ（不図示）をそれぞれ有している。記憶装置は、顧客（発注者１）の画像データの記憶に使用される。プリンタは、画像データのプリント、画像プリントの納品袋などの印刷に使用される。
【００１３】
図２は、発注者１のパソコン２で実行される電子プリント注文処理の流れを説明するフローチャートである。図２による処理は、発注者１が周知のブラウジング用プログラムを起動し、発注者１が操作部材を操作して受注者５の端末６のＵＲＬを指定することにより開始される。ステップＳ１において、パソコン２は、ネットワーク１１を介して受注者５のホームページを開く。パソコン２は、受注者５のサーバー６に電子プリントショップ用ソフトウエア（プリント注文用プログラム）を要求する信号を送り、ステップＳ２へ進む。ステップＳ２において、パソコン２は、送信した注文用プログラムの要求に応じてサーバー６から送信される注文用プログラムデータを受信し（ダウンロード）、受信したデータによる注文用プログラムをパソコン２にインストールしてステップＳ３へ進む。
【００１４】
ステップＳ１およびステップＳ２は、パソコン２が初めて受注者５のホームページを開く場合を説明したが、既に注文用プログラムがパソコン２にインストールされている場合は、発注者１による操作に応じてステップＳ３へ進むようにしてよい。
【００１５】
ステップＳ３において、パソコン２は、インストールした注文用プログラムを起動する操作が行われたか否かを判定する。起動操作は、発注者１が操作部材を操作して行う。パソコン２は、操作部材から起動操作信号が入力されるとステップＳ３を肯定判定してステップＳ４へ進み、起動操作信号が入力されない場合はステップＳ３を否定判定し、図２による処理を終了する。
【００１６】
ステップＳ４において、パソコン２は、プリント注文用プログラムを起動し、受注者５のサーバー６にユーザー登録を要求する信号を送り、ステップＳ５へ進む。ステップＳ５において、パソコン２は、送信したユーザー登録の要求に応じてサーバー６から送信されるユーザーＩＤおよびパスワードを示すデータを受信し、受信したユーザーＩＤおよびパスワードをパソコン２のディスプレイ装置に表示するとともに、パソコン２内に記憶してステップＳ６へ進む。
【００１７】
ステップＳ４およびステップＳ５は、パソコン２が初めてプリント注文用プログラムを起動する場合を説明したが、既にユーザー登録されている場合は、発注者１によるユーザーＩＤおよびパスワードの入力操作に応じてステップＳ６へ進むようにしてよい。
【００１８】
ステップＳ６において、パソコン２は、発注者１によって指示された画像データを示す情報をパソコン２のディスプレイ装置に表示するとともに、パソコン２内に記憶してステップＳ７へ進む。発注者１は、操作部材を操作することにより、ディスプレイ装置に表示されている情報の中からプリントを注文する画像を指示する。操作の詳細については後述する。ステップＳ７において、パソコン２は、発注者１によって指示された画像プリントの仕分け情報をパソコン２のディスプレイ装置に表示するとともに、パソコン２内に記憶してステップＳ８へ進む。仕分け情報および発注者１による操作の詳細については後述する。
【００１９】
ステップＳ８において、パソコン２は、発注者１によって送信が指示されると、記憶している情報を仮注文データとして受注者５のサーバー６に送信し、ステップＳ９へ進む。なお、後述する料金および納期を示すデータをサーバー６から得る前にパソコン２からサーバー６へ送信する注文データを仮注文データと呼び、料金および納期を示すデータをサーバー６から得た後にパソコン２からサーバー６へ送信する注文データを本注文データと呼ぶことにする。注文データの詳細については後述する。
【００２０】
ステップＳ９において、パソコン２は、送信した仮注文データに応じて受注者５のサーバー６から送信される料金および納期などを示すデータを受信し、受信した料金および納期などの情報をパソコン２のディスプレイ装置に表示するとともに、パソコン２内に記憶してステップＳ１０へ進む。ステップＳ１０において、パソコン２は、発注者１により注文決定されたか否かを判定する。パソコン２は、操作部材から注文を示す操作信号を受けると、ステップＳ１０を肯定判定してステップＳ１１へ進み、注文を示す操作信号を受けない場合は、ステップＳ１０を否定判定し、図２による処理を終了する。
【００２１】
ステップＳ１１において、パソコン２は、記憶している画像プリントの仕分け情報を含む本注文データを受注者５のサーバー６に送信し、ステップＳ１２へ進む。画像プリントする画像がパソコン２の記憶装置（不図示）に記憶された画像データによる画像の場合は、当該画像データもパソコン２からサーバー６へ送信される。ステップＳ１２において、送信した本注文データに応じて受注者５のサーバー６から送信される受付データを受信し、受信した受付データなどの情報をパソコン２のディスプレイ装置に表示するとともに、パソコン２内に記憶してプリント注文用プログラムを終了する。パソコン２は、発注者１がブラウジング用プログラムを終了操作を行うと、図２による処理を終了する。
【００２２】
図３は、受注者５のサーバー６で実行される電子プリント受注処理の流れを説明するフローチャートである。図３による処理は、受注者５が電子プリントショップ用コンテンツをサーバー６に格納し、このコンテンツサーバー６を起動することにより開始される。ステップＳ５１において、サーバー６は、プリント注文用プログラムを要求する信号を受信したか否かを判定する。サーバー６は、プリント注文用プログラム要求信号を受けるとステップＳ５１を肯定判定してステップＳ５２へ進み、プリント注文用プログラム要求信号を受けない場合はステップＳ５１を否定判定し、図３による処理を終了する。
【００２３】
ステップＳ５２において、サーバー６は、サーバー６内にあらかじめ格納されているプリント注文用プログラムデータを読み出し、要求元のパソコン２へ送信してステップＳ５３へ進む。ステップＳ５３において、サーバー６は、ユーザー登録を要求する信号を受信したか否かを判定する。サーバー６は、ユーザー登録要求信号を受けるとステップＳ５３を肯定判定してステップＳ５４へ進み、ユーザー登録要求信号を受けない場合はステップＳ５３を否定判定し、図３による処理を終了する。
【００２４】
ステップＳ５４において、サーバー６は、ユーザーＩＤおよびパスワードを生成し、生成したユーザーＩＤおよびパスワード示すデータを要求元のパソコン２へ送信してステップＳ５５へ進む。ステップＳ５５において、サーバー６は、仮注文データを受信したか否かを判定する。サーバー６は、仮注文データを受けるとステップＳ５５を肯定判定してステップＳ５６へ進み、仮注文データを受けない場合はステップＳ５５を否定判定し、図３による処理を終了する。
【００２５】
ステップＳ５６において、サーバー６は、仮受付け処理を行ってステップＳ５７へ進む。仮受付処理では、仮注文データに含まれる注文番号を記憶装置７に記憶する。ステップＳ５７において、サーバー６は、仮注文データが示す画像プリント数およびプリントサイズなどに応じて料金および納期を算出し、算出結果および受付番号を示すデータを要求元のパソコン２へ送信してステップＳ５８へ進む。算出する料金および納期の情報は、プリントサイズごとにプリント１枚当たりの値段および納期が、あらかじめサーバー６の中に格納されている。サーバー６は、１枚当たりの値段に数量を掛け合わせて料金を算出する。
【００２６】
ステップＳ５８において、サーバー６は、本注文データを受信したか否かを判定する。サーバー６は、本注文データを受けるとステップＳ５８を肯定判定してステップＳ５９へ進み、本注文データを受けない場合はステップＳ５８を否定判定し、図３による処理を終了する。画像プリントする画像が記憶装置７に記憶された画像データによる画像でない場合は、本注文データの他に当該画像データもパソコン２からサーバー６へ送信される。
【００２７】
ステップＳ５９において、サーバー６は、本受付け処理を行ってステップＳ６０へ進む。本受付処理では、本注文データに含まれる注文番号を記憶装置７に記憶する。ステップＳ６０において、サーバー６は、注文番号を含む受付データを要求元のパソコン２へ送信してステップＳ６１へ進む。ステップＳ６１において、サーバー６は、受付データ、パソコン２から送信された本注文データおよび画像データを、記憶装置７にそれぞれ記憶してステップＳ６２へ進む。ステップＳ６２において、サーバー６は、本注文データが示す受取場所および納品方法などに応じてプリント担当を決定し、プリント担当へプリントを指示して図３による処理を終了する。図３による処理は、サーバー６が稼働中は繰り返し行われる。プリント担当は、受注者５自身、サービス店１２〜１４のいずれかから決定される。たとえば、本注文データによって納品方法が「出向き引取り」、受取り場所が「サービス店１２」に指示されている場合、サーバー６は、サービス店１２の端末に対して画像プリントに必要なデータを送信する。これにより、サービス店１２が画像プリントを行う。
【００２８】
上述した注文データについて説明する。注文データは、プリントする画像（データ）、プリント数量、プリントサイズ、仕分け情報などを含むものである。仕分け情報は、画像プリントのグループ化を示すもので、このグループごとに納品に関する情報が与えられる。本発明は、この仕分け情報に特徴を有する。
【００２９】
図４は、発注者１のパソコン２のディスプレイ装置に表示される画面の一例を説明する図である。図４による表示画面は、たとえば、パソコン２が上述したステップＳ６へ進むタイミングでディスプレイ装置に表示する。図４において、全画面１０１の上部にサービス業者、すなわち、受注者５の名称１０６が表示されている。全画面１０１の上部にはさらに、注文番号１０７、日付１０８、ユーザー（発注者）名１０９、および送信ボタン１２０が、それぞれ表示されている。
【００３０】
全画面１０１は、ウィンドウ１０２、ウィンドウ１０３、ウィンドウ１０４、およびウィンドウ１０５を有する。ウィンドウ１０２は、仕分け数（画像プリントのグループ数）入力部１１０、納品情報入力表１１１、仕分けフォルダ１１２〜１１４が、それぞれ表示される。図３の例では、発注者１によって仕分け数３が入力された状態を示している。パソコン２は、納品情報入力表１１１に仕分け数３に対応する仕分け▲１▼〜仕分け▲３▼の入力欄をそれぞれ表示するとともに、仕分けフォルダ１１２〜１１４をそれぞれ表示する。
【００３１】
ウィンドウ１０４は、プリントする画像（データ）の格納位置を示すツリー情報を表示する。ツリー情報は、データファイルを格納するフォルダと、このフォルダ内にさらに生成したフォルダとの関係をツリー状に示したものである。発注者１は、操作部材を操作することによって、プリント注文したい画像（データ）が格納されているフォルダを選択する。フォルダは、パソコン２内の記憶装置内に限らず、ネットワーク１１を介して接続されている他の端末や記憶装置などに格納されているものでもよい。もちろん、発注者１が以前プリント注文した際に受注者５の記憶装置７に記憶したものでもよい。
【００３２】
ウィンドウ１０５は、発注者１が選択したフォルダ内に格納されている画像（データ）を識別するための情報、たとえば、縮小画像（サムネイル画像）を表示する。発注者１は、操作部材を操作することによって、プリント注文したい画像（データ）に対応するサムネイル画像をつかみ（ドラッグ操作）、任意の仕分けフォルダ（たとえば、１１２）へ落とす（ドロップ操作）。パソコン２は、仕分けフォルダ１１２にサムネイル画像がドロップ操作されると、図５に示すように、仕分けフォルダ１１２上にプリントサイズおよびプリント数量（枚数）を入力する入力部１０８をポップアップ表示させる。
【００３３】
発注者１は、操作部材を操作することによって、入力部１０８にプリントサイズおよびプリント数量（枚数）を入力する。パソコン２は、入力内容に応じて値段を算出し、入力部１０８に表示させる。算出する値段の情報は、プリントサイズごとのプリント１枚当たりの値段があらかじめプリント注文用プログラムの中に用意されている。パソコン２は、１枚当たりの値段に数量を掛け合わせて表示するための値段を算出する。発注者１は、プリント注文したい画像（データ）に対応するサムネイル画像のドラッグ操作およびドロップ操作を行うとともに、プリントサイズおよびプリント数量を入力する操作を繰り返す。
【００３４】
ウィンドウ１０３は、発注者１が選択した仕分けフォルダ内にドロップされている画像（データ）を識別するための情報、たとえば、縮小画像（サムネイル画像）を表示する。発注者１は、操作部材を操作することによって、任意の仕分けフォルダ（たとえば、１１２）を選択する。パソコン２は、仕分けフォルダ１１２の中にドロップされている画像（データ）に対応するサムネイル画像１１６、画像のデータサイズ、画像データのタイトル、プリントサイズ、およびプリント枚数１１７を、ウィンドウ１０３の中に画像（データ）ごとに表示する。
【００３５】
発注者１は、操作部材を操作することによって、納品情報入力表１１１の仕分け▲１▼〜仕分け▲３▼の各入力欄に、画像プリントの受取り場所、プリント代金の支払い方法、画像プリントの納品方法、希望納期、および受取人名を、それぞれ入力する。受取り場所は、たとえば、「自宅」、「サービス店舗」などである。支払い方法は、たとえば、「クレジットカードによる支払い」、「口座振り込み」などである。納品方法は、たとえば、「宅配」、「出向き受取り」などである。納期は、たとえば日時の指定を含む。このように、仕分けフォルダ１１２〜１１４ごとに、仕上がり後の画像プリントの納品の形態や支払い方法などを分けて指示することができる。
【００３６】
発注者１は、以上のように納品情報入力表１１１の入力操作を終了すると、全画面１０１の上部の送信ボタン１２０を選択する操作を行う。これにより、パソコン２は、画像プリントの仕分け情報を含む注文データを受注者５のサーバー６へ送信する。図４の画面は、仮注文送信および本注文送信時に共通で使用される。
【００３７】
以上説明した実施の形態によれば、次の作用効果が得られる。
（１）電子プリントショップシステムで発注者１からの画像プリント注文を受注するとき、仕分け情報を注文データに含めるようにした。仕分け情報は、画像プリントのグループ化を示すもので、画像プリントの納品の形態や支払い方法などの指示がグループごとに分けられる。したがって、仕分け情報を受けた受注者５は、グループごとにプリントや納品などの指示を行うので、画像プリントが１まとめに同梱されて発注者１に納品されることがない。この結果、発注者１は、納品された画像プリントを、たとえば、発注者１自身が必要なものと発注者１の知人などに譲渡するものとに分類する手間を省くことができる。
【００３８】
（２）仕分け情報に画像プリントの納品の受取り場所や納品方法などを含めるようにしたので、仕分け情報によって受取り場所が「サービス店１２」、納品方法が「出向き引取り」に指示されている場合に、サーバー６がサービス店１２の端末に対して画像プリントに必要なデータを送信し、サービス店１２に画像プリントを指示できる。この結果、発注者１にとってプリント受取りに都合がよい店舗を選べるから、顧客満足度が高まる電子プリントショップを提供できる。
【００３９】
（３）上記（２）の仕分け情報によって納品方法が「宅配」、受取り場所が「自宅」に指示されている場合に、サーバー６が宅配先の最寄りのサービス店（たとえば、サービス店１４）の端末に対して画像プリントに必要なデータを送信し、サービス店１４に画像プリントを指示できる。この結果、配送コストを低減した電子プリントショップを提供できる。
【００４０】
（４）画像プリント注文用プログラムは、発注者１のパソコン２のディスプレイ装置にウィンドウ１０２を表示させるようにした。ウィンドウ１０２は、仕分け数（画像プリントのグループ数）入力部１１０、納品情報入力表１１１、仕分けフォルダ１１２〜１１４を、それぞれ表示する。たとえば、発注者１によって仕分け数３が入力されると、この仕分け数３に対応して納品情報入力表１１１に仕分け▲１▼〜仕分け▲３▼の入力欄をそれぞれ自動的に表示するとともに、仕分けフォルダ１１２〜１１４をそれぞれ自動的に表示する。この結果、発注者１にとって操作しやすい操作画面を表示させることができる。
【００４１】
（５）納品情報入力表１１１の仕分け▲１▼〜仕分け▲３▼の入力欄に「画像プリントの受取り場所、プリント代金の支払い方法、画像プリントの納品方法、希望納期、および受取人名を、発注者１によってそれぞれ指定できるようにした。このように、発注者１が入力内容を確認しながら、各仕分けフォルダに対応する画像プリントの納品場所や納品方法などの関連づけ操作を行うことができるから、発注者１にとって操作しやすい操作画面を表示させることができる。
【００４２】
（６）画像プリント注文用プログラムは、発注者１のパソコン２のディスプレイ装置にウィンドウ１０５を表示させるようにした。ウィンドウ１０５は、発注者１が選択したフォルダ内に格納されている画像（データ）を識別するためのサムネイル画像を表示する。発注者１は、操作部材を操作することによって、プリント注文したい画像に対応するサムネイル画像をつかみ（ドラッグ操作）、任意の仕分けフォルダ（たとえば、１１２）へ落とす（ドロップ操作）。このように、簡単な操作で仕分けフォルダとプリント注文する画像のサムネイル画像とを関連づけることができる。
【００４３】
（７）上記（６）の関連づけ操作を行うと、仕分けフォルダ（たとえば、１１２）上にプリントサイズおよびプリント数量（枚数）を入力する入力部１０８をポップアップ表示させるようにした。これにより、サムネイル画像ごとに、プリントサイズおよび数量を関連づけることができる。
【００４４】
（８）画像プリント注文用プログラムは、発注者１のパソコン２のディスプレイ装置にウィンドウ１０３を表示させるようにした。ウィンドウ１０３は、発注者１が選択した仕分けフォルダに関連づけられているサムネイル画像１１６を表示する。サムネイル画像１１６とともに、画像のデータサイズ、画像データのタイトル、プリントサイズ、およびプリント枚数１１７を、画像（データ）ごとにさらに表示するので、仕分けフォルダに関連づけた内容を簡単な操作で確認することができる。
【００４５】
上述の仕分け情報によるグループ化として、画像毎の属性（たとえば、撮影者、撮影したカメラの機種、撮影テーマ、タイトル、撮影日等のいずれか１つ）を仕分け情報として設定し、これに基づいて各仕分けフォルダに自動的に仕分けするようにしてもよい。また、このとき、ウィンドウ１０５に表示された画像をウィンドウ１０２にドラッグするだけで、上記属性に基づいて自動的に各仕分けフォルダに注文データが入力されるようにすれば、注文データの作成がより簡単のものになる。
【００４６】
上述した説明では、発注者１がデジタルカメラ３、もしくはスキャナ装置４によって撮像した電子画像データをプリント注文する例を説明したが、これら以外の撮像機器による電子画像データでもよい。
【００４７】
発注者１が端末２としてパソコンを使用する例を説明したが、パソコンの代わりに携帯電話機やＰＤＡ（Ｐｅｒｓｏｎａｌ  Ｄｉｇｉｔａｌ  Ａｓｓｉｓｔａｎｔｓ）を用いてもよい。つまり、有線接続および無線接続を問わずネットワーク１１に接続してデータを送受するものであれば、発注者１の端末２として使用できる。
【００４８】
ネットワーク１１に接続するサービス店の数は、上述した３店舗に限らずさらに増やしてもよい。サービス店の数を増やすことで、たまたま休業日のサービス店や、すぐに作業できないサービス店があったとしても、他のサービス店に画像プリントを指示できるようになる。これにより、短納期の注文を行う発注者１、および短納期の注文を受ける受注者５の双方に都合がよい電子プリントショップシステムを提供できる。
【００４９】
以上の説明では、発注者１のパソコン２で起動させる画像プリント注文用プログラムを受注者５のサーバー６からパソコン２へダウンロードする例を説明した。この代わりに、受注者５が画像プリント注文用プログラムを記録した記録媒体を配布することによって発注者１に画像プリント注文用プログラムを提供してもよい。この場合には、発注者１が記録媒体からパソコン２に画像プリント注文用プログラムをインストールし、インストール後の画像プリント注文用プログラムを起動させる。
【００５０】
特許請求の範囲における各構成要素と、発明の実施の形態における各構成要素との対応について説明する。利用者は、たとえば、発注者１が対応する。プリント情報は、たとえば、注文データが対応する。仕分けマークは、たとえば、仕分けフォルダ１１２〜１１４が対応する。表示装置は、たとえば、パソコン２のディスプレイ装置によって構成される。識別画像は、たとえば、ウィンドウ１０５内のサムネイル画像が対応する。仕分けマークに関連づけられている画像の情報は、たとえば、ウィンドウ１０３内のサムネイル画像１１６、画像のデータサイズ、画像データのタイトル、プリントサイズ、およびプリント枚数１１７が対応する。なお、本発明の特徴的な機能を損なわない限り、各構成要素は上記構成に限定されるものではない。
【００５１】
【発明の効果】
本発明による電子プリントショップの受注方法および電子プリント注文用プログラムによれば、利用者による画像プリントの仕分けを不要にすることができる。
【図面の簡単な説明】
【図１】本発明の一実施の形態による電子プリントショップシステムの全体構成図である。
【図２】発注者のパソコンで実行される電子プリント注文処理の流れを説明するフローチャートである。
【図３】受注者のサーバーで実行される電子プリント受注処理の流れを説明するフローチャートである。
【図４】発注者のパソコンのディスプレイ装置に表示される画面の一例を説明する図である。
【図５】プリントサイズおよびプリント数量入力部のポップアップ表示を示す図である。
【符号の説明】
１…発注者、                        ２…端末（パソコン）、
５…受注者、                      ６…端末（サーバー）、
７…記憶装置、                  １１…ネットワーク、
１２〜１４…サービス店、          １０２〜１０５…ウィンドウ、
１０８…ポップアップ表示、        １１０…仕分け数入力部、
１１１…納品情報入力表、          １１６…サムネイル画像、
１１７…画像のデータサイズ、画像データのタイトル、プリントサイズ、およびプリント枚数の表示
【図１】
2004164184.tif 000003
【図２】
2004164184.tif 000004
【図３】
2004164184.tif 000005
【図４】
2004164184.tif 000006
【図５】
2004164184.tif 000007